(57)【要約】【課題】シートシャッター装置を構成するシート体の下端部に衝撃吸収体を設けるにあたり、衝撃吸収能力を高めるとともに、封止性を損なわないように構成する。【解決手段】開口部を開閉するシート体１の下端部１ｂを上方に折り返して袋状部１ｃとし、該袋状部１ｃの上側に、骨材２を内装して袋状部１ｃにリベットを介して固定する一方、袋状部１ｃの下側であって、骨材２の直下に、発泡ゴムで構成され、中空部７ｂが長尺方向に長く形成された衝撃吸収体７を設ける構成とする。【選択図】図３
2007297810.tif 000002
【特許請求の範囲】
【請求項１】
開口部に設けたガイドレールにシート体の両側部を嵌入させて開閉するシートシャッター装置において、シート体の下端部に、開口部の幅方向に長い骨材と、障害物との当接に基づく衝撃吸収をする衝撃吸収体とを設けるにあたり、シート体の下端部に袋状部を形成し、該袋状部に、骨材と衝撃吸収体とを内装するとともに、該袋状部の両側部をガイドレールに嵌入させるように構成したシートシャッター装置。
【請求項２】
骨材は、袋状部に固定されている請求項１に記載のシートシャッター装置。
【請求項３】
衝撃吸収体は、シート体下端部の幅方向一体に設けられる長尺体とし、上下方向長さが骨材の上下方向長さよりも長く形成されている請求項１または２に記載のシートシャッター装置。
【発明の詳細な説明】
【技術分野】
【０００１】
本発明は、工場や倉庫等のように出入りの頻繁な建築物の開口部を開閉するシートシャッター装置の技術分野に属するものである。
【背景技術】
【０００２】
一般に、工場や倉庫等のように出入りの頻繁な建築物の開口部には、開閉作動が迅速なシートシャッター装置を設けることがある。このようなシートシャッター装置において、開口部を開閉するシート体の上下方向複数箇所に左右方向に長い骨材を設け、これら骨材の左右両端部をシート体の左右両側部とともに、開口部の左右両側部に設けたガイドレールに嵌入させることにより、ガイドレールのガイドを受けた状態で開閉作動するようにしたものがある。この場合に、最下端部に位置する骨材は床面や障害物と当接することが考えられ、最下端の骨材には衝撃吸収体を設けることが提唱されている。一方、シート体は、全閉姿勢で床面とのあいだに隙間ができないようにして封止性を確保することも必要であり、このため、シート体最下端部に配される骨材は、衝撃吸収と床面封止との両者を満足した状態で配される構成が望まれる。
【０００３】
この改善策として、シート体下端部を袋状とし、該袋状部に骨材を内装する一方、前記袋状部の外周面に衝撃吸収体を設け、さらに衝撃吸収体を包み込むようにボトムカバーを設ける構成として、衝撃吸収体により骨材との当接に基づく衝撃吸収をしながら、ボトムカバーが床面に当接することで床面との封止を実現したものが提唱されている。
【特許文献１】特開平９−２１７５６３号公報
【発明の開示】
【発明が解決しようとする課題】
【０００４】
前記従来のものでは、シート体の左右の両側部（左右両端部）は袋状部を一体化した状態としてガイドレールに嵌入させる構成としているが、ボトムカバーは変形した状態で床面を封止するため、ボトムカバーの左右両端部をガイドレールに嵌入させることはできず、ガイドレールの左右方向内側（開口側）に位置してガイドレールとのあいだには隙間が形成される状態となっている。このため、シート体を全閉姿勢として、ボトムカバーと衝撃吸収体の下端部とが床面に当接したとき、ガイドレールに嵌入するシート体の下端縁は、シート体の外側に設けられた衝撃吸収体の厚さに相当する分だけ床面から浮いた状態（離間する）となり、ボトムカバーの左右の各端部とガイドレールとのあいだにおいて、衝撃吸収体の厚さに相当する分の隙間が形成される構成となっている。
一方、衝撃吸収体の衝撃吸収能力を大きくするためには、衝撃吸収体の厚さを厚くすることで対応できるが、前記従来のものにおいて衝撃吸収体の厚さを厚くしようとした場合では、前記ガイドレールとボトムカバーとのあいだに形成される隙間が大きくなることになって封止性の問題を回避することができず、このままでは衝撃吸収体の衝撃吸収能力を大きくすることができず、ここに本発明の解決すべき課題がある。
【課題を解決するための手段】
【０００５】
本発明は、上記の如き実情に鑑みこれらの課題を解決することを目的として創作されたものであって、請求項１の発明は、開口部に設けたガイドレールにシート体の両側部を嵌入させて開閉するシートシャッター装置において、シート体の下端部に、開口部の幅方向に長い骨材と、障害物との当接に基づく衝撃吸収をする衝撃吸収体とを設けるにあたり、シート体の下端部に袋状部を形成し、該袋状部に、骨材と衝撃吸収体とを内装するとともに、該袋状部の両側部をガイドレールに嵌入させるように構成したシートシャッター装置である。
請求項２の発明は、骨材は、袋状部に固定されている請求項１に記載のシートシャッター装置である。
請求項３の発明は、衝撃吸収体は、シート体下端部の幅方向一体に設けられる長尺体とし、上下方向長さが骨材の上下方向長さよりも長く形成されている請求項１または２に記載のシートシャッター装置である。
【発明の効果】
【０００６】
請求項１の発明とすることにより、シート体下端部に衝撃吸収体を設けるものでありながら、シート体の全閉時に床面とのあいだに隙間が形成されず、封止性を高めることができる。
請求項２の発明とすることにより、骨材の全荷重が衝撃吸収体に作用しないようにでき、衝撃吸収体の衝撃吸収能力を損なわないようにすることができる。
請求項３の発明とすることにより、衝撃吸収体の衝撃吸収能力を高めることができる。
【発明を実施するための最良の形態】
【０００７】
つぎに、本発明の実施の形態について、図面に基づいて説明する。
図面において、１はシートシャッター装置を構成するシート体であって、該シート体１は矩形状に形成されており、シート体１の一方の面には、左右方向長尺状の別布を溶着することにより袋状の骨材保持部１ａが上下方向に所定間隙を存して複数設けられている。前記骨材保持部１ａは、左右両端縁部がシート体１の左右両端縁部よりも内側に位置するように形成されており、これら各骨材保持部１ａには、骨材保持部１ａと同様の長さに設定された骨材２がそれぞれ内装（挿入）され、リベット２ａにより固定されることにより、左右方向の位置規制を受ける状態となっている。
尚、前記骨材２は、金属材によりパイプ状に形成されている。
【０００８】
さらに、シート体１は、下端縁１ｂを上方に向けて折り返し、該折り返した先端部（下端縁）１ｂをシート体１に溶着することにより、シート体１の下端部に袋状部１ｃが形成されている。そして、前記袋状部１ｃには、前記骨材保持部１ａに内装された骨材２と同様の長さ寸法に設定された骨材２が内装され、骨材２の左右両端部が袋状部１ｃの左右両端縁部よりも内側に位置する状態で収容されている。
【０００９】
そして、最下端に位置する骨材２を含む各骨材２の左右両端部には、後述するガイド体３の基端部３ａがそれぞれ嵌合支持されており、該基端部３ａ（骨材２の左右端部）から左右方向外方に向けて突出し、基端部３ａに対して回転自在に配された走行ローラ部３ｂ先端の走行部３ｃと、シート体１の左右両端縁部とが略同位置となるように設定されている。そして、シート体１は、上端縁部が開口部上方に設けられたシャッターケース４内に収容される巻き取りドラム５の正逆回転に伴い、巻き取りドラム５から巻き出されて開口部を閉鎖する全閉姿勢から、巻き取りドラム５に巻き取られて開口部を開放する全開姿勢とのあいだを開閉作動するが、このとき、シート体１の左右両側縁部は、骨材２から突出する走行ローラ部３ｂ先端の走行部３ｃとともに、開口部両側部に建て付けられた左右一対のガイドレール６のガイド溝６ａに嵌入しており、これによって、シート体１がガイド溝６ａによるガイドを受けて開閉作動するように設定されている。
【００１０】
さて、前記シート体１の下端部に設けられる袋状部１ｃは、骨材２を内装するスペースと衝撃吸収体７を内装するスペースとが上下方向に設けられる大きさに形成されている。そして、骨材２は、袋状部１ｃの上側に位置して配設され、屋外側のシート材に対して複数のリベット２ａにより固定されており、これによって、骨材２の荷重の一部がリベット２ａを介して袋状部１ｃにより受け止められるとともに、骨材２の袋状部１ｃにおける左右方向の位置規制を行うことができるように構成されている。さらには、骨材２をリベット２ａにより固定することで、パイプ状の骨材２が袋状部１ｃ内において回転するような不具合もなくすことができるようにしている。
【００１１】
さらに、袋状部１ｃには弾性変形することにより衝撃吸収をする衝撃吸収体７が内装されるが、該衝撃吸収体７は、骨材２と袋状部１ｃとのあいだに配されるよう骨材２の直下（下方）に位置して配されている。また、前記衝撃吸収体７は、床面や障害物等から負荷を受けることにより圧縮し、断面積を小さくする特徴を有した発泡ゴム（例えばエチレンプロピレンジエン三元共重合ゴム：ＥＰＤＭ）を用いて構成されており、その形状は、骨材２と略同長さの長尺体に形成されている。さらに、衝撃吸収体７の屋内外方向幅は骨材２の外径と同寸法に形成され、上下方向長さは骨材２の外径よりも長く形成されて上下方向の衝撃吸収能力が一層優れるように形成されているとともに、衝撃吸収体７の上面７ａの形状は、骨材２の外形状に沿うよう凹溝形状となっている。そして、衝撃吸収体７は、凹溝形状の上面７ａにより骨材２を支持する状態で袋状部１ｃに内装されるが、骨材２の荷重は、前述したように、リベット２ａを介して一部が袋状部１ｃにより受け止められているうえ、衝撃吸収体７が上下方向に長く大きく形成して大きな衝撃吸収力を有していることから、衝撃吸収体７が袋状部１ｃ内の骨材２の荷重を受けて変形することはないように構成されている。
さらに、衝撃吸収体７は、長尺方向に貫通する中空部７ｂが衝撃吸収体７の長尺方向中心部に位置して形成されており、これによって、衝撃吸収体７の弾性変形の変形量が一層大きくなり、床面や障害物に当接したような場合に、当接面積を大きくして衝撃吸収機能が一層高められるように構成されている。
【００１２】
そして、シート体袋状部１ｃにおける左右端部は、骨材２と衝撃吸収体７との左右端縁よりも左右方向外方に延出しており、該延出部が、前記ガイドレール６に嵌合するように設定されている。このため、袋状部１ｃにおける屋内外二枚のシート材の前記延出部は、ステープラー等の適宜一体化手段により一体化されている。
【００１３】
８は、シート体１下端部の袋状部１ｃの外周面を覆い、袋状部１ｃの補強として設けられるボトムカバーであって、該ボトムカバー８は、ガイドレール６の対向間よりも幅狭な左右幅を有した矩形状のシート材で構成されており、シート材の左右端縁８ａ、８ｂとガイドレール６とのあいだには所定の隙間Ｈが形成されている。そして、前記シート材の左右幅方向に長い両縁部８ｃ、８ｄを、シート体１の下端部であって、袋状部１ｃ形成部位よりは上方に位置してシート体１の屋内外面に溶着することで、袋状部１ｃよりも僅かに大きい袋状のボトムカバー８を形成しており、シート体１が床面から離れた状態で、ボトムカバー８と袋状部１ｃとのあいだに小さい隙間が形成されるように構成され、ボトムカバー８が袋状部１ｃに対してばたつくことがないように構成されている。
ここで、シート体１下端部の袋状部１ｃの左右端部は、前述したように、ガイドレールガイド溝６ａに嵌入しており、ボトムカバー８とガイドレール６とのあいだに形成される隙間Ｈは、前記ガイドレール６に至るシート体袋状部１ｃにより塞がれており、前記隙間Ｈが屋内外を開放してしまうことはなく、これによって、シート体1による屋内外の封止が損なわれないように設定されている。
尚、ボトムカバー８の左右両端縁８ａ、８ｂは、骨材２の左右両端縁よりもガイドレール６側に延出するように寸法設定されている。
【００１４】
そして、シートシャッター装置のシート体１が全開姿勢の場合では、シート体１の下端部において、袋状部１ｃの下端部と、該袋状部１ｃの外側のボトムカバー８の下端部とに小さな隙間が形成された状態、例えば図３（Ｂ）に示すようになっている。この状態から、巻き取りドラム５の回転駆動に伴い、シート体１が閉鎖作動してシート体１の下端部が床面に当接したような場合では、図３（Ａ）に示すように、衝撃吸収体７ととも袋状部１ｃ下端部とボトムカバー８下端部とが床面に当接した状態となるように設定されている。この床面当接状態において、床面の水平レベルが確保されていないような場合に、上下方向に長く形成されて大きな弾性変形が確保された衝撃吸収体７が弾性変形して床面とシート体１下端部とのあいだに隙間が形成されることがないように設定されている。これによって、従来のように、床面との隙間を封止するためにボトムカバーを大きく形成する必要がなく、前述したように、ばたつきのないボトムカバー８であっても充分な床面との封止を行うことができるように構成されている。
尚、シート体１が全閉姿勢となってシート体１の下端部が床面に当接する場合に、袋状部１ｃ、ボトムカバー８を介して衝撃吸収体７が床面に当接することにより、衝撃の吸収、および、異音の発生が防止されている。
【００１５】
このものにおいて、シート体１の閉鎖作動の過程で、開口部に障害物があったような場合では、シート体１下端部が障害物に当接することになるが、この場合に、衝撃吸収体７は中空部７ｂが形成されていて大きな弾性変形をするように構成されているので、衝撃吸収体７の障害物との当接部位が例えば図３（Ｃ）に示すような変形をすることにより、大きな衝撃吸収荷重に対応した変形をすることができ、もって、大きな衝撃吸収機能を発揮することができるように構成されている。
【００１６】
さらに、本実施の形態のシートシャッター装置において、骨材２の左右両端部に設けられるガイド体３のうち、最下端と、下から二番目の骨材２の左右両端部に設けられる都合四個のガイド体は、分離自在に構成された分離自在型ガイド体９に構成されている。
前記分離自在型ガイド体９は、骨材２の筒端部に嵌入する樹脂製の嵌入部９ａと、該嵌入部９ａに、抜止め状、かつ、軸受９ｂを介して回転自在に軸承され、先端が嵌入部９ａから左右方向外方に突出する回転支軸９ｃと、回転支軸９ｃに一体的に連結されて嵌入部９ａに対して回転自在となる樹脂製の走行ローラ部９ｄとを備えて構成されている。前記走行ローラ部９ｄは、太径（大径）に形成される基端側のボス９ｅを、前記回転支軸９ｃの突出先端に螺子９ｆにより螺合することで回転支軸９ｃと一体化されて一体回転するように構成されており、該ボス９ｅから左右方向外方に突出する細径（小径）の走行部９ｇがガイドレール６のガイド溝６ａに嵌入するように構成されている。そして、これら分離型ガイド体９は、シート体１の下端部に負荷が作用した場合であって、例えば閉鎖姿勢から開放途中のシート体１に、フォークリフトのフォーク型の腕部が当接したような場合に、シート体１が破損してしまう以前の段階で、走行ローラ部９ｄのガイドレール６嵌入部である細径の走行部９ｇが先行して破壊して、シート体１をガイドレール６によるガイド状態から分離して自由にし、シート体１の破損を回避するように構成されている。
尚、このものにおいて、破壊された分離自在型ガイド体９は、回転支軸９ｃに螺合されており、走行部９ｇが破壊されている走行ローラ部９ｄのボス９ｅを螺子９ｆを外すことにより取り外し、新規の（破壊されていない）走行ローラ部９ｄを新たに螺合することにより、簡単に修復（部品交換）できるように設定されている。この場合に、シート体１の最下端に設けられる分離自在型ガイド体９は袋状部１ｃの袋内に配されていて、このままでは走行部９ｇの着脱がやりにくくなるので、本実施の形態の袋状部１ｃは、分離自在型ガイド体９の嵌合部９ａから突出する走行ローラ部９ｄが外部に露出するよう、袋状部１ｃの一方の面部に切り欠き部１ｄが形成されている。
【００１７】
さらにこのものでは、シート体１への負荷が大きく、分離自在型ガイド体９の破壊に留まらず、シート体１にまで破損があったような場合の対策として、シート体１の下端部であって、下から三番目の骨材２配設部位において分割可能に構成されている。これによって、シート体１下端部位全体の交換が可能になるように構成されている。
つまり、シート体１下端部の破損しやすいと考えられる部位の上部であって、本実施の形態では、下から二番目の骨材保持部１ａが設けられた部位の下方部位に、シート体１と同材料で形成された被連結部１０が袋状になって溶着等の一体化手段により設けられている。前記被連結部１０は、シート体１の左右幅と同寸法に形成されており、シート体１左右幅よりも短い芯材１０ａが内装されて、左右両端部がステイプラー等の一体化手段により屋内外二枚のシート材が一体化されて芯材１０ａの抜け止めがなされている。尚、芯材１０ａは、予め被連結部１０に内装しておく必要はなく、実際に交換作業を行う場合に芯材を挿入するようにしてもよく、このようにすることにより、巻き取りドラムへの巻形が崩れてしまうような不具合を防止できる。そして、シート体１下端部が破損したような場合では、被連結部１０配設部下方、例えば、図７（Ａ）の矢印で示した切断部Ｘにおいてシート体１を切断し、被連結部１０を用いて交換用シート体１１を取り付けることにより修復することができるように構成されている。
【００１８】
前記交換用シート体１１は、図８、９に示すように、シート体１の前記切断部分に相当する上下方向長さ、左右方向長さを有して形成され、骨材保持部１１ａには分離自在型ガイド体９が設けられた骨材２が収容されており、下端縁１１ｂを上側に折り返して一体化することで下端部に袋状部１１ｃが形成され、該袋状部１１ｃの上方に、分離自在型ガイド体９が設けられた骨材２がリベット２ａにより固定され、下方に衝撃吸収体７が設けられ、ボトムカバー８に覆われていること等、前記切断される部分と同様の構成となっている。
さらに、前記交換用シート体１１の上端部は、上端縁１１ｄを下側に折り返して一体化することで上側袋状部１１ｅが形成され、ここに、被連結部１０に内装される芯材１０ａと同様の芯材１１ｆが抜け止め状に内装されている。
そして、被連結部１０と前記交換用シート体１１とは、各シート体１、１１の左右幅と同長さに形成された連結ユニットＵを介して一体的に連結されるように構成されている。前記連結ユニットＵは、被連結部１０の芯材１０ａにスライド嵌合して芯材１０ａを抜け止め状に内嵌する凹部１２ａが上部に形成された第一連結体１２と、交換用シート体１１の芯材１１ｆにスライド嵌合して芯材１１ｆを抜け止め状に内嵌する凹部１３ａが下部に形成された第二連結体１３と、上下に突き合せられた第一、第二連結体１２、１３に対し、本実施の形態では屋内外方向他方（骨材保持部１ａ、１１ａ形成側とは反対方向）から組み込むことで、これら第一、第二連結体１２、１３とを一体的に連結する第三連結体１４とを備えて構成されている。尚、第一、第二連結体１２、１３の左右両端部には蓋体１５が設けられ、これら蓋体１５を螺子１５ａを用いて第一、第二連結体１２、１３に固定することにより、第一、第二連結体１２、１３およびこれに嵌合するシート体１と交換用シート体１１との左右方向の位置規制ができるように設定されている。ここで、第一、第二、第三連結体１２、１３、１４等の部材で構成される連結ユニットＵは、屋内外方向の厚さがガイドレール６のガイド溝６ａの溝幅よりも短く（各ガイド体走行ローラ部３ｂ、９ｄの走行部３ｃ、９ｇの外径寸法と略同じ長さに）なるように設定されており、これによって、シート体１および交換用シート体１１との連結部となる連結ユニットＵ装着部位における左右端部は、ガイドレールガイド溝６ａに嵌入することができて、ガイドレール６による走行ガイドを受けられるように設定されるとともに、該部位の封止性が損なわれないように構成されている。
【００１９】
このように構成されたシートシャッター装置において、シート体１の下端部に障害物が当接して大きな負荷が作用した場合に、分離自在型ガイド体９の走行部９ｇのみの破損であれば、走行ローラ部９ｄを交換することで修復することができる。一方、分離自在型ガイド体９の走行部９ｇの破損だけでなく、シート体１下端部にも破損があった場合では、切断部Ｘにおいてシート体１の破損部分を含む下端部を取り除き、被連結部１０の芯材１０ａ装着部に第一連結体１２をスライド装着する一方、交換用シート体１１の芯材１１ｆ装着部に第二連結体１３をスライド装着し、第三連結体１４を用いて第一、第二連結体１２、１３を一体化し、蓋体１５を設けることにより、シート体１の下端部を修復することができる。
尚、従来型の衝撃吸収体が設けられたシートシャッター装置において、シート体下端部に被連結部が設けられている場合では、被連結部の下方部位で切断し、前述した衝撃吸収体７が内装された交換用シート体１１を連結ユニットＵを用いて連結することで、従来型のシートシャッター装置を、衝撃吸収能力が高く、かつ、封止性のよいシートシャッター装置とすることができる。
【００２０】
叙述の如く構成された本形態において、シートシャッター装置において、シート体１は、巻き取りドラムの正逆回転に伴い開口部の開閉を行うが、このものでは、シート体１の下端部に袋状部１ｃが形成され、該袋状部１ｃに衝撃吸収体７が内装されているので、シート体１の閉鎖作動の過程で開口部に障害物があったとしても衝撃吸収がなされて、障害物に与える負荷（衝撃荷重）を減少させることができる。
そしてこのものにおいて、シート体１の下端部の袋状部１ｃに骨材２と衝撃吸収体７との両者を内装し、袋状部１ｃの左右両側部をガイドレール６のガイド溝６ａに嵌入する構成としたので、従来の袋状部の外周に衝撃吸収体を設けたもののように、シート体の全閉姿勢で、ガイドレール下端部近傍において、衝撃吸収体の厚さに相当する隙間ができてしまうような不具合がなく、床面との封止をするボトムカバー８が床面に接地した状態でシート体１の下端部も床面に当接することができる。この結果、衝撃吸収体７を上下方向長さを長く（大きく）して、上下方向の衝撃吸収能力を高めたものとしても、ガイドレール６の近傍に大きな隙間ができるようなことがなく、衝撃吸収能力に優れ、しかも、床面との封止性の高い、優れたシートシャッター装置とすることができる。
【００２１】
しかも、本発明が実施されたものでは、袋状部１ｃの上側部位に骨材２を固定し、該固定された骨材２の下方に衝撃吸収体７を設ける構成としたので、衝撃吸収体７を骨材２とともにシート体袋状部１ｃに内装する構成としたものでありながら、骨材２の下方に配設される衝撃吸収体７が骨材２の全荷重を受けて障害物と当接する前の段階で変形してしまい、衝撃吸収能力を低下させてしまうような不具合がない。
【００２２】
さらに、本発明が実施されたものにあっては、衝撃吸収体７は、上下方向の長さを骨材２の上下方向長さ（外径）よりも長くなるように形成したので、特に上下方向の衝撃吸収能力が増加して、優れた衝撃吸収を行うことができる。
【００２３】
また、衝撃吸収体７は、負荷を受けることにより圧縮し、断面積を小さくする特徴を有した発泡ゴムを用いる構成としたので、従来の発泡ウレタンを用いて構成されるものよりも、大きな衝撃吸収力を備えたものとすることができる。しかも、発泡ゴムにより形成される衝撃吸収体７を、中空部７ｂを形成して上下方向に大きく形成したので、障害物との当接時に大きな弾性変形をして障害物との当接面積を大きくすることができ、衝撃吸収能力を高めることができるうえ、障害物と当接してから障害物にシート体１の荷重が作用するまでの所用時間を長くすることができ、これによって、例えば人がシート体１に当接したような場合に、接触を感知して逃げ出す時間を確保できるという利点がある。
そのうえ、矩形状の発泡ゴムに中空部７ｂを形成して大きい衝撃吸収体７とすることにより、床面の水平レベルに誤差があるような場合であっても、衝撃吸収体７の弾性変形に基づいて床面とのあいだに隙間を形成することがなく、封止性を高めることができる。
【００２４】
そのうえ、このものでは、ボトムカバー８は、従来のように衝撃吸収体の外周を覆うのではないうえ、床面との封止のために設けられるのではなく、袋状部１ｃの補強として、袋状部１ｃの外周面を覆うように設ければよいので、ボトムカバー８を袋状部１ｃよりも僅かに大きく形成すればよいことになって、袋状部１ｃに対してばたついてしまうことがなく、シート体１の全閉時にボトムカバー８が床面に擦れて摩耗してしまうような不具合をなくすことができるうえ、開閉作動時にボトムカバーがばたついて、各種センサを作動させてしまうような不具合を防止することができる。
【００２５】
尚、本発明は前記実施の形態に限定されないことは勿論であって、骨材の全荷重を袋状部が受けるよう、袋状部の屋内外のシート材に対して骨材を固定するように構成してもよく、このようにすることにより、衝撃吸収体に骨材の荷重がまったく作用しないようにすることができる。また、衝撃吸収体の形状としては、長尺方向に貫通する中空部は必ずしも形成する必要はないが、これとは逆に複数の中空部を設ける構成としてもよい。
【図面の簡単な説明】
【００２６】
【図１】シートシャッター装置の正面図である。
【図２】図２（Ａ）、（Ｂ）はそれぞれシートシャッター装置の側面図、骨材の保持状態を説明する要部側面図である。
【図３】図３（Ａ）、（Ｂ）、（Ｃ）はそれぞれシート体の全閉姿勢におけるシート体下端部の側面図、中途開状態におけるシート体下端部の側面図、障害物との当接時におけるシート体下端部の側面図である。
【図４】図４（Ａ）、（Ｂ）はそれぞれシート体下端部における正面図、シート体の平面図である。
【図５】図５（Ａ）、（Ｂ）はそれぞれ分離自在型ガイド体の正面断面図、側面図である。
【図６】分離自在型ガイド体のガイドレール嵌入状態を説明する平面断面図である。
【図７】図７（Ａ）、（Ｂ）はそれぞれシート体の被連結部を説明する側面断面図、正面図である。
【図８】図８（Ａ）、（Ｂ）はそれぞれ交換用シート体の正面図、側面図である。
【図９】図９（Ａ）、（Ｂ）はそれぞれ連結ユニットを説明する側面断面図、正面図である。
【符号の説明】
【００２７】
１    シート体
１ｃ    袋状部
２    骨材
６    ガイドレール
７    衝撃吸収体
７ｂ    中空部
８    ボトムカバー
９    分離自在型ガイド体
【図１】
2007297810.tif 000003
【図２】
2007297810.tif 000004
【図３】
2007297810.tif 000005
【図４】
2007297810.tif 000006
【図５】
2007297810.tif 000007
【図６】
2007297810.tif 000008
【図７】
2007297810.tif 000009
【図８】
2007297810.tif 000010
【図９】
2007297810.tif 000011